(57)【特許請求の範囲】
【請求項１】
分光優先モードとハイダイナミックレンジ優先モードとの２種類の撮影モードで動作可能な撮像装置であって、
ピーク波長が相違する複数のカラーフィルタからなる第１のカラーフィルタ群、及び前記第１のカラーフィルタ群に属するカラーフィルタよりも透過率が低く、かつピーク波長が相違する複数のカラーフィルタからなる第２のカラーフィルタ群を備えた撮像手段と、
前記撮像手段による撮像の条件を決定する条件決定手段と、
前記撮像手段により得られた画像に対し、前記２種類の撮影モードのうちから選択されている撮影モードに応じて画像処理を行う処理手段と、
を有し、
前記条件決定手段は、
前記分光優先モードが選択されている場合には、前記第１のカラーフィルタ群に対応する画素及び前記第２のカラーフィルタ群に対応する画素の画素値に応じて前記条件を決定し、
前記ハイダイナミックレンジ優先モードが選択されている場合には、前記第２のカラーフィルタ群に対応する画素のみの画素値に応じて前記条件を決定し、
前記処理手段は、
前記分光優先モードが選択されている場合には、前記第１のカラーフィルタ群に対応する画素及び前記第２のカラーフィルタ群に対応する画素の各々に分光反射率を持つ分光画像を生成し、
前記ハイダイナミックレンジ優先モードが選択されている場合には、前記第１のカラーフィルタ群、前記第２のカラーフィルタ群の各々に対して異なる色マトリックス処理を行い、前記色マトリックス処理を行った前記第１のカラーフィルタ群に対応する画素の画素値の一部を、前記色マトリックス処理を行った前記第２のカラーフィルタ群に対応する画素の画素値で置き換えてＲＧＢ画像を生成することを特徴とする撮像装置。
【請求項２】
前記第１のカラーフィルタ群及び前記第２のカラーフィルタ群は、夫々、ピーク波長の異なる３種類のカラーフィルタからなることを特徴とする請求項１に記載の撮像装置。
【請求項３】
前記処理手段は、
ＣH＝ＧHｂH
ＣL＝ＧLｂL
に基づいて、前記色マトリックス処理を行う請求項１又は２に記載の撮像装置。
ここで、ＣHは、分光透過率が高いバンドセットによるｓＲＧＢ値を示す。ＧHは、分光透過率が高いバンドセットをｓＲＧＢに変換するための変換マトリックスを示す。ｂHは、分光透過率が高いバンドセットを示す。また、ＣLは、分光反射率が低いバンドセットによるｓＲＧＢ値を示す。ＧLは、分光透過率が低いバンドセットをｓＲＧＢに変換するための変換マトリックスを示す。ｂLは、分光透過率が低いバンドセットを示す。
【請求項４】
ピーク波長が相違する複数のカラーフィルタからなる第１のカラーフィルタ群、及び前記第１のカラーフィルタ群に属するカラーフィルタよりも透過率が低く、かつピーク波長が相違する複数のカラーフィルタからなる第２のカラーフィルタ群を備えた撮像手段を備え、
分光優先モードとハイダイナミックレンジ優先モードとの２種類の撮影モードで動作可能な撮像装置を制御する方法であって、
前記撮像手段による撮像の条件を決定する条件決定ステップと、
前記撮像手段により得られた画像に対し、前記２種類の撮影モードのうちから選択されている撮影モードに応じて画像処理を行う処理ステップと、
を含み、
前記条件決定ステップでは、
前記分光優先モードが選択されている場合には、前記第１のカラーフィルタ群に対応する画素及び前記第２のカラーフィルタ群に対応する画素の画素値に応じて前記条件を決定し、
前記ハイダイナミックレンジ優先モードが選択されている場合には、前記第２のカラーフィルタ群に対応する画素のみの画素値に応じて前記条件を決定し、
前記処理ステップでは、
前記分光優先モードが選択されている場合には、前記第１のカラーフィルタ群に対応する画素及び前記第２のカラーフィルタ群に対応する画素の各々に分光反射率を持つ分光画像を生成し、
前記ハイダイナミックレンジ優先モードが選択されている場合には、前記第１のカラーフィルタ群、前記第２のカラーフィルタ群の各々に対して異なる色マトリックス処理を行い、前記色マトリックス処理を行った前記第１のカラーフィルタ群に対応する画素の画素値の一部を、前記色マトリックス処理を行った前記第２のカラーフィルタ群に対応する画素の画素値で置き換えてＲＧＢ画像を生成することを特徴とする撮像装置の制御方法。
【請求項５】
ピーク波長が相違する複数のカラーフィルタからなる第１のカラーフィルタ群、及び前記第１のカラーフィルタ群に属するカラーフィルタよりも透過率が低く、かつピーク波長が相違する複数のカラーフィルタからなる第２のカラーフィルタ群を備えた撮像手段を備え、
分光優先モードとハイダイナミックレンジ優先モードとの２種類の撮影モードで動作可能な撮像装置の制御をコンピュータに行わせるプログラムであって、
前記コンピュータに、
前記撮像手段による撮像の条件を決定する条件決定ステップと、
前記撮像手段により得られた画像に対し、前記２種類の撮影モードのうちから選択されている撮影モードに応じて画像処理を行う処理ステップと、
を実行させ、
前記条件決定ステップでは、
前記分光優先モードが選択されている場合には、前記第１のカラーフィルタ群に対応する画素及び前記第２のカラーフィルタ群に対応する画素の画素値に応じて前記条件を決定し、
前記ハイダイナミックレンジ優先モードが選択されている場合には、前記第２のカラーフィルタ群に対応する画素のみの画素値に応じて前記条件を決定し、
前記処理ステップでは、
前記分光優先モードが選択されている場合には、前記第１のカラーフィルタ群に対応する画素及び前記第２のカラーフィルタ群に対応する画素の各々に分光反射率を持つ分光画像を生成し、
前記ハイダイナミックレンジ優先モードが選択されている場合には、前記第１のカラーフィルタ群、前記第２のカラーフィルタ群の各々に対して異なる色マトリックス処理を行い、前記色マトリックス処理を行った前記第１のカラーフィルタ群に対応する画素の画素値の一部を、前記色マトリックス処理を行った前記第２のカラーフィルタ群に対応する画素の画素値で置き換えてＲＧＢ画像を生成することを特徴とするプログラム。
【発明の詳細な説明】
【技術分野】
【０００１】
本発明は、マルチバンドカメラを用いての広い輝度レンジを持つシーンの色及び輝度情報の取得に好適な撮像装置及びその制御方法等に関する。
【背景技術】
【０００２】
従来、１度の撮影で４つ以上色情報を取得するマルチバンドカメラとして、１つのセンサ上に４つ以上のカラーフィルタを配置したカメラがある（例えば、特許文献１）。
また、マルチバンドカメラを用いて広い輝度レンジシーンの画像を取得する方法として、透過率の高いバンド群と、透過率の低いバンド群とを組み合わせる技術がある（例えば、非特許文献１）。この技術では、広い輝度レンジシーンを撮影した場合に、領域又は画素毎に飽和したバンドを判定し、飽和したバンドは使用せずに残りのバンドのみを用いて、分光反射率を推定している。
【先行技術文献】
【特許文献】
【０００３】
【特許文献１】特開２００８−１３６２５１号公報
【非特許文献】
【０００４】
【非特許文献１】H. Haneishi, S.Miyahara and A.Yoshida “Image acquisition technique for high dynamic range scenes using a multiband camera”,Color Research and Application, Vol.31, Issue 4, pp.294-302, (2006)
【発明の概要】
【発明が解決しようとする課題】
【０００５】
しかしながら、特許文献１に記載の技術では、すべてのバンドにおいて出力が飽和しないようにしなければならず、このために、取得可能な輝度レンジが非常に狭くなってしまう。
また、特許文献２に記載の技術では、領域毎に使用するバンド数が異なるため、飽和領域とそうでない領域との間で色再現精度が相違してしまい、同一の色であったとしても、輝度が大きく異なる場合には、再現される分光反射率が異なってしまう。このため、一般的なディスプレイ及びプリンタでの再現の際に、同一被写体で輝度のみが異なる場合でも、色相のずれ等が引き起こされることがある。
【０００６】
本発明は、再現性の高い画像データを得ることができる撮像装置及びその制御方法等を提供することを目的とする。
【課題を解決するための手段】
【０００７】
本発明に係る撮像装置は、分光優先モードとハイダイナミックレンジ優先モードとの２種類の撮影モードで動作可能な撮像装置であって、ピーク波長が相違する複数のカラーフィルタからなる第１のカラーフィルタ群、及び前記第１のカラーフィルタ群に属するカラーフィルタよりも透過率が低く、かつピーク波長が相違する複数のカラーフィルタからなる第２のカラーフィルタ群を備えた撮像手段と、前記撮像手段による撮像の条件を決定する条件決定手段と、前記撮像手段により得られた画像に対し、前記２種類の撮影モードのうちから選択されている撮影モードに応じて画像処理を行う処理手段と、を有し、前記条件決定手段は、前記分光優先モードが選択されている場合には、前記第１のカラーフィルタ群に対応する画素及び前記第２のカラーフィルタ群に対応する画素の画素値に応じて前記条件を決定し、前記ハイダイナミックレンジ優先モードが選択されている場合には、前記第２のカラーフィルタ群に対応する画素のみの画素値に応じて前記条件を決定し、前記処理手段は、前記分光優先モードが選択されている場合には、前記第１のカラーフィルタ群に対応する画素及び前記第２のカラーフィルタ群に対応する画素の各々に分光反射率を持つ分光画像を生成し、前記ハイダイナミックレンジ優先モードが選択されている場合には、前記第１のカラーフィルタ群、前記第２のカラーフィルタ群の各々に対して異なる色マトリックス処理を行い、前記色マトリックス処理を行った前記第１のカラーフィルタ群に対応する画素の画素値の一部を、前記色マトリックス処理を行った前記第２のカラーフィルタ群に対応する画素の画素値で置き換えてＲＧＢ画像を生成することを特徴とする。
【発明の効果】
【０００８】
本発明によれば、撮像手段に適切なカラーフィルタが設けられ、適切な撮像の条件が決定されるため、再現性の高い画像データを取得することができる。
【図面の簡単な説明】
【０００９】
【図１】撮像装置の構成を示すブロック図である。
【図２】撮像装置の外観を示す模式図である。
【図３】カラーフィルタ部の構成を示す図である。
【図４】撮像装置の動作を示すフローチャートである。
【図５】選択画面の一例を示す図である。
【図６】シャッタースピードを決定する処理の詳細を示すフローチャートである。
【図７】現像処理の詳細を示すフローチャートである。
【発明を実施するための形態】
【００１０】
以下、本発明の実施形態について添付の図面を参照して具体的に説明する。図１は、本発明の実施形態に係る撮像装置の構成を示すブロック図である。図２は、本発明の実施形態に係る撮像装置の外観を示す模式図である。
本実施形態に係る撮像装置１０１には、撮像部１０２、Ａ／Ｄ（アナログ／デジタル）変換部１０４、信号処理部１０５、Ｄ／Ａ（デジタル／アナログ）変換部１０６、エンコーダ部１０７、及び外部インターフェース（Ｉ／Ｆ）１０８が設けられている。撮像装置１０１には、更に、ＣＰＵ（中央処理装置）１０９、ＲＯＭ１１０、ＲＡＭ１１１、撮像系制御部１１２、操作部１１３、キャラクタージェネレーション部１１４、及び表示部１１５が設けられている。
【００１１】
撮像部１０２には、ズームレンズ、フォーカスレンズ、ぶれ補正レンズ、絞り、シャッター、光学ローパスフィルタ、ｉＲカットフィルタ、カラーフィルタ部１０３、及び撮像素子（ＣＭＯＳ、ＣＣＤ等）等が設けられており、撮像部１０２は被写体の光像を取り込む。
Ａ／Ｄ変換部１０４は、撮像部１０２により取り込まれた被写体の光像をデジタル値に変換する。
信号処理部１０５は、処理手段として、Ａ／Ｄ変換部１０４により生成されたデジタル値に、デモザイキング処理、ホワイトバランス処理、及びガンマ処理等を行い、デジタル画像を生成する。
Ｄ／Ａ変換部１０６は、信号処理部１０５により生成されたデジタル画像をアナログ信号に変換する。
エンコーダ部１０７は、信号処理部１０５により生成されたデジタル画像をＪｐｅｇ（Joint Photographic Experts Group）、Ｍｐｅｇ（Moving Picture Experts Group）等のフォーマットのファイルに変換する。
外部インターフェース１０８は、Ａ／Ｄ変換部１０４により生成されたデジタル値、エンコーダ部１０７により生成されたファイル等の、ＰＣ（パーソナルコンピュータ）、種々の記録媒体との間の書き込み及び読み出しを行う。記録媒体としては、例えば、ハードディスク、メモリーカード、ＣＦカード、ＳＤカード、ＵＳＢメモリ等が挙げられる。
ＣＰＵ１０９は、各構成の処理に関わり、ＲＯＭ１１０、ＲＡＭ１１１に格納された命令を読み込み、解釈し、その結果に従って処理を実行する。また、ＲＯＭ１１０及びＲＡＭ１１１は、その処理に必要なプログラム、データ、作業領域等をＣＰＵ１０９に提供する。
撮像系制御部１１２は、フォーカスを合わせる、シャッターを開く、絞りを調節するなどの、ＣＰＵ１０９から指示された撮像系の制御を行う。
操作部１１３には、図２に示すように、モードダイヤル３０１及び操作ボタン３０２等が設けられており、操作部１１３を介してユーザの指示が撮像装置１０１に入力される。モードダイヤル３０１は、例えば撮像装置１０１に予め設定されている２種類の動作モードの中からユーザが動作モードを選択する際に操作される。操作ボタン３０２は、例えば撮影の実行の際にユーザにより操作される。
キャラクタージェネレーション部１１４は、文字及び／又はグラフィック等を生成する。
表示部１１５は、キャラクタージェネレーション部１１４及びＤ／Ａ変換部１０６から受け取った撮影画像、文字等の表示を行う。表示部１１５としては、例えば液晶ディスプレイが用いられる。また、表示部１１５がタッチスクリーン機能を備えていてもよい。この場合、表示部１１５が操作部１１３として機能することができる。
【００１２】
次に、カラーフィルタ部１０３の構成について説明する。図３は、カラーフィルタ部１０３の構成を示す図である。
図３（ａ）に示すように、本実施形態では、カラーフィルタ部１０３に、ピーク波長が相違する複数種類、例えば６種類のカラーフィルタが設けられており、これらが規則的に配置されている。即ち、６種類のカラーフィルタは、第１のカラーフィルタ群及び第２のカラーフィルタ群に区別される。第１のカラーフィルタ群には、複数種類、例えば３種類のカラーフィルタ（赤色のカラーフィルタＲ１、緑色のカラーフィルタＧ１及び青色のカラーフィルタＢ１）が含まれる。第２のカラーフィルタ群には、複数種類、例えば３種類のカラーフィルタ（赤色のカラーフィルタＲ２、緑色のカラーフィルタＧ２及び青色のカラーフィルタＢ２）が含まれる。そして、図３（ｂ）に示すように、第１のカラーフィルタ群に属するカラーフィルタＲ１、Ｇ１及びＢ１の透過率は、第２のカラーフィルタ群に属するカラーフィルタＲ２、Ｇ２及びＢ２の透過率よりも高い。
【００１３】
次に、上述のように構成された撮像装置１０１の動作（撮像装置の制御方法）について説明する。図４は、撮像装置１０１の動作を示すフローチャートである。なお、この動作は、主に、ＣＰＵ１０９による制御の下で実行される。
先ず、ステップＳ４０１において、表示部１１５がユーザに撮影モードを選択させる選択画面（ユーザインタフェース）を表示して、ユーザに撮影モードの選択を促す。図５に選択画面の一例を示す。図５に示すように、本実施形態では、「分光優先」及び「ハイダイナミックレンジ優先」の２種類の文字列が選択可能に表示される。選択画面に含まれる文字等は、キャラクタージェネレーション部１１４により生成される。詳細は後述するが、「分光優先」の選択は、分光優先モードで撮像装置１０１を動作させることを意味し、「ハイダイナミックレンジ優先」の選択は、ハイダイナミックレンジ優先モードで撮像装置１０１を動作させることを意味する。撮像装置１０１は、分光優先モード及びハイダイナミックレンジ優先モードの２種類の動作モードで動作可能である。ユーザは、モードダイヤル３０１を操作して、「分光優先」又は「ハイダイナミックレンジ優先」のいずれかの文字列を選択する。
次いで、ステップＳ４０２において、ＣＰＵ１０９が、操作ボタン３０２が押されたか否かの判定を行う。つまり、ＣＰＵ１０９は、撮影実行の指示が入力されたか否かの判定を行う。そして、操作ボタン３０２が押されていれば、ステップＳ４０３に進み、押されていなければ、ステップＳ４０２に戻る。つまり、操作ボタン３０２が押されるまで待機する。
ステップＳ４０３では、ＣＰＵ１０９が、条件決定手段として、ステップＳ４０１においてユーザにより選択された撮影モードに基づき、撮像の像件であるシャッタースピードを決定する。つまり、分光優先モード用のシャッタースピード又はハイダイナミックレンジ優先モード用のシャッタースピードのいずれを採用するかを決定する。この処理の詳細については後述する。
その後、ステップＳ４０４において、ＣＰＵ１０９が、ステップＳ４０３において決定したシャッタースピードでの本撮影の制御を行う。この結果、撮像系制御部１１２が撮像部１０２を制御し、撮像部１０２が撮像を行い、Ａ／Ｄ変換部１０４等が動作して、本撮影が行われる。
続いて、ステップＳ４０５において、ＣＰＵ１０９が、ステップＳ４０１においてユーザにより選択された撮影モードに基づく現像処理の制御を行う。つまり、分光優先モード用の現像処理又はハイダイナミックレンジ優先モード用の現像処理のいずれかの制御を行う。この処理は、主に信号処理部１０５により行われる。この処理の詳細については後述する。
【００１４】
次に、ステップＳ４０３の処理の詳細について説明する。図６は、シャッタースピードを決定する処理の詳細を示すフローチャートである。
先ず、ステップＳ６０１において、ＣＰＵ１０９が、プレ撮影のための初期シャッタースピードを設定する。
次いで、ステップＳ６０２において、ＣＰＵ１０９が、ステップＳ６０１において設定したシャッタースピードでのプレ撮影の制御を行う。この結果、撮像系制御部１１２が撮像部１０２を制御し、撮像部１０２が撮像を行い、Ａ／Ｄ変換部１０４等が動作して、プレ撮影が行われる。プレ撮影により得られた画像は、例えばＲＡＭ１１１に格納される。
その後、ステップＳ６０３において、ＣＰＵ１０９が、後に行うシャッタースピードの算出に用いるためのエリア（判定エリア）を、プレ撮影で得られた画像から抽出する。判定エリアとしては、例えば、画像の中心付近、画像の中心付近及びその周辺、画像の周辺のみ、画像全体等が挙げられる。判定エリアは、ユーザの選択及びシーン等に応じて変更することができる。以下の説明では、判定エリアとして、画像全体が抽出されることとするが、他の領域が抽出されてもよい。また、このプレ撮影では、デモザイク処理等の画像処理を省略して、高速に処理することが望ましい。
続いて、ステップＳ６０４において、ＣＰＵ１０９が、判定エリア内で画素値の最大値を算出する。
次いで、ステップＳ６０５において、ＣＰＵ１０９が、ステップＳ６０４において算出した最大値が飽和しているか否かの判定を行う。そして、最大値が飽和していれば、ステップＳ６０６に進み、飽和していなければ、ステップＳ６０７に進む。
ステップＳ６０６では、ＣＰＵ１０９が、プレ撮影するためのシャッタースピードを遅くする。例えば、シャッタースピードをその直前の値の１／２にする。そして、ステップＳ６０２に戻り、画素値の最大値が飽和しなくなるまでステップＳ６０２からステップＳ６０５までの処理を繰り返す。
【００１５】
ステップＳ６０７では、ＣＰＵ１０９が、撮影モードが分光優先モードに設定されているか否かの判定を行う。そして、分光優先モード（撮影モードの一方）に設定されていれば、ステップＳ６０８に進み、そうでなければ、即ちハイダイナミックレンジ優先モード（撮影モードの他方）に設定されていれば、ステップＳ６１０に進む。
ステップＳ６０８では、ＣＰＵ１０９が、ステップＳ６０３において抽出した判定エリアにおいて、すべてのバンドでの最大値を算出する。即ち、第１のカラーフィルタ群に体Ｕ凹する画素及び第２のカラーフィルタ群に対応する画素内での最大値を算出する。
次いで、ステップＳ６０９において、ＣＰＵ１０９が、すべてのバンドが飽和しない範囲内で最大のシャッタースピードを算出する。例えば、プレ撮影時のシャッタースピードをＴｐｒｅ、最大画素値をｂｍａｘ、飽和値をＭＡＸとすると、シャッタースピードＴは、下記の式１で表わされる。
Ｔ＝Ｔｐｒｅ／ｂｍａｘ  ×  ＭＡＸ      ・・・（式１）
一方、ステップＳ６０９では、ＣＰＵ１０９が、ステップＳ６０３において抽出した判定エリアにおいて、分光透過率の低いバンド内で最大値を算出する。即ち、分光透過率が低いカラーフィルタ群である第２のカラーフィルタ群に属するカラーフィルタＲ２、Ｇ２及びＢ２に対応する画素内での最大値を算出する。
次いで、ステップＳ６１０において、ＣＰＵ１０９が、分光透過率の低いバンドのすべてが飽和しない範囲内で最大のシャッタースピードを算出する。この算出でも、上記の式１を用いることができる。
このようにして、ステップＳ４０３の処理が行われ、シャッタースピードが決定される。
【００１６】
次に、ステップＳ４０５の処理の詳細について説明する。図７は、現像処理の詳細を示すフローチャートである。
先ず、ステップＳ７０１において、信号処理部１０５が、ステップＳ４０４の本撮影により得られた画像に対してデモザイキング処理を行う。
次いで、ステップＳ７０２において、信号処理部１０５が、撮影モードが分光優先モードに設定されているか否かの判定を行う。そして、分光優先モードに設定されていれば、ステップＳ７０３に進み、そうでなければ、即ちハイダイナミックレンジ優先モードに設定されていれば、ステップＳ７０４に進む。
ステップＳ７０３では、信号処理部１０５が、分光データを推定する。この推定は、例えば、下記の式２に基づいて行われる。ここで、ｏは分光反射率ベクトルを示し、Ｇは分光推定マトリックスを示し、ｂはマルチバンド画素値ベクトルを示す。
【００１７】
【数１】
0005627252.tif 000002
【００１８】
一方、ステップＳ７０４では、信号処理部１０５が、分光透過率が低いバンドセットである第２のカラーフィルタ群、分光透過率が高いバンドセットである第１のカラーフィルタ群の夫々に対して、マトリックス処理を行う。このマトリクス処理は、例えば、下記の式３に基づいて行われる。ここで、ＣHは分光透過率が高いバンドセットによるｓＲＧＢ値を示し、ＣLは分光反射率が低いバンドセットによるｓＲＧＢ値を示す。また、ｂHは分光透過率が高いバンドセットを示し、ＧHは分光透過率が高いバンドセットをｓＲＧＢに変換するための変換マトリックスを示す。また、ｂLは分光透過率が低いバンドセットを示し、ＧLは分光透過率が低いバンドセットをｓＲＧＢに変換するための変換マトリックスを示す。
【００１９】
【数２】
0005627252.tif 000003
【００２０】
次いで、ステップＳ７０５において、信号処理部１０５が、ステップＳ７０４において算出したｓＲＧＢ値に対して、フィルタの透過率に基づくゲインを掛ける。
その後、ステップＳ７０６において、信号処理部１０５が、ステップＳ７０５におけるゲイン調整後の画像に対して、合成処理を行う。例えば、フィルタ透過率の高いバンドのうち飽和した一部の領域の画素値をフィルタの分光透過率の低いバンドのデータ（画素値）で置き換えることによって合成処理を行い、ＲＧＢ画像としてハイダイナミックレンジ画像を生成する。また、他の合成処理を行ってもよい。例えば、飽和領域のみを切り替えるのではなく、飽和画素値の周辺画素値から、徐々に置き換えていってもよい。また、置き換える際に、それぞれに重みを持たせ加重平均していってもよい。
続いて、ステップＳ７０７において、エンコーダ部１０７が、信号処理部１０５による処理後の画像データ（ステップＳ７０３又はＳ７０６の処理後の画像データ）の変換を行い、外部Ｉ／Ｆ１０８がこれをＳＤカード等の外部記憶装置等に保存する。
【００２１】
このような実施形態では、ユーザは、分光優先モード、ハイダイナミックレンジ優先モードを切り替えることによって、分光画像及びハイダイナミックレンジ画像を取得することができる。
【００２２】
なお、上述の実施形態では、変換マトリックスとしてｓＲＧＢを用いているが、これに限定されない。例えば、ＡｄｏｂｅＲＧＢ等の色空間を用いてもよい。
また、上述の実施形態では、ユーザの選択に応じて、分光優先モードとハイダイナミックレンジ優先モードとが切り替えられているが、これに限定されない。例えば、プレ撮影の結果からシーンのダイナミックレンジを算出し、このダイナミックレンジに応じて、自動的にモードを切り替えるようにしてもよい。
また、撮影モードに応じて決定される撮像の条件はシャッタースピードに限定されない。
また、本発明の各工程は、ネットワーク又は各種記憶媒体を介して取得したソフトウェア（プログラム）をパーソナルコンピュータ等の処理装置（ＣＰＵ、プロセッサ）にて実行することでも実現できる。
【符号の説明】
【００２３】
１０１：撮像装置  １０２：撮像部  １０３：カラーフィルタ部  １０５：信号処理部  １０９：ＣＰＵ
【図１】
0005627252.tif 000004
【図２】
0005627252.tif 000005
【図３】
0005627252.tif 000006
【図４】
0005627252.tif 000007
【図５】
0005627252.tif 000008
【図６】
0005627252.tif 000009
【図７】
0005627252.tif 000010